(57)【要約】【課題】撮像装置において、ボタン数の削減と操作性の向上を実現する。【解決手段】撮像装置は、主ボタン及び副ボタンを備え、主ボタンの割り当て機能を撮像装置の動作状態に応じて可変設定する。例えば、撮像装置の電源がオフのときには電源オン指示機能を主ボタンに割り当て、撮像装置の電源がオンである状態において、録画前、録画中、録画後には、夫々、録画開始指示機能、録画停止指示機能、再生指示機能（録画された動画像の再生指示機能）を主ボタンに割り当てる。撮像装置の動作状態に応じて主ボタンに割り当てられた機能が所望機能と異なる場合、ユーザは、副ボタンを押すことで主ボタンの割り当て機能を変更することができる。この他、撮像装置は、撮影シーン（人物有無、顔領域の大きさ等）に応じて主ボタンの割り当て機能を可変設定することもできる。【選択図】図６
2012235196.tif 000002
【特許請求の範囲】
【請求項１】
主ボタンを備えた撮像装置において、
当該撮像装置の動作状態及び撮影シーンの内の少なくとも一方に応じて、前記主ボタンの割り当て機能を設定するボタン制御部を備えた
ことを特徴とする撮像装置。
【請求項２】
前記主ボタンの割り当て機能を変更するための副ボタンを更に備えた
ことを特徴とする請求項１に記載の撮像装置。
【請求項３】
前記動作状態は、
当該撮像装置への電源の投入状態、及び、
当該撮像装置の録画状態の内、少なくとも一方を含む
ことを特徴とする請求項１又は請求項２に記載の撮像装置。
【請求項４】
前記撮影シーンは、
撮影領域内における人物の有無、
当該撮影装置による撮影画像上の顔領域の大きさ、
前記撮影画像上の動きの大きさの内、少なくとも１つに依存する
ことを特徴とする請求項１〜請求項３の何れかに記載の撮像装置。
【請求項５】
前記主ボタンの割り当て機能を表示する表示画面を更に備えた
ことを特徴とする請求項１〜請求項４の何れかに記載の撮像装置。
【請求項６】
前記ボタン制御部は、前記主ボタンが操作されたときに設定していた前記割り当て機能を履歴情報として記憶し、過去の履歴情報をも用いて、現在の前記割り当て機能を設定する
ことを特徴とする請求項１〜請求項５の何れかに記載の撮像装置。
【請求項７】
前記ボタン制御部は、前記主ボタンの割り当て機能を変更したとき、その変更の発生を報知する
ことを特徴とする請求項１〜請求項６の何れかに記載の撮像装置。
【発明の詳細な説明】
【技術分野】
【０００１】
本発明は、デジタルスチルカメラ、デジタルビデオカメラ等の撮像装置に関する。
【背景技術】
【０００２】
通常、撮像装置には複数のボタンが設けられており、各々のボタンには１つ１つ異なる機能（役割）が割り当てられている。撮像装置にて様々な機能を実現するために、多数のボタンが撮像装置に設けられることも多い。
【０００３】
しかしながら、ボタンの個数が多すぎると、ユーザはボタン操作が難しい或いは煩雑であると感じる場合がある。また、ボタンの個数増大は、撮像装置の形状設計に大きな制限を与える共に撮像装置の小型化及び低コスト化の阻害要因となる。
【０００４】
これに鑑み、下記特許文献１には、表示画面上に１以上の仮想ボタンを表示しておき、筐体上の決定ボタンを押すことによって、選択された仮想ボタンが操作されているように表示し、かつその仮想ボタンにより実現される機能について条件内容を１つずつ表示していく方法が提案されている。
【先行技術文献】
【特許文献】
【０００５】
【特許文献１】特開２００２−８２３８１号公報
【発明の概要】
【発明が解決しようとする課題】
【０００６】
特許文献１の方法では、仮想ボタンにより実現される機能（機能の条件内容）が、決定ボタンを押すたびに、予め定められた順序に従って順次変更される。例えば、仮想ボタンの機能の候補が第１〜第５の候補から成る場合、仮想ボタンの機能は、決定ボタンを押すたびに、常に、第１の候補から第２、第３、第４、第５の候補へと順次切り替わってゆく。従って、仮に、ユーザが第５の候補の実現を望む場合、決定ボタンを４回押さなければ所望機能を実現することはできず、操作性に不満が残る。
【０００７】
そこで本発明は、ボタン数の削減とともに操作性の向上に寄与する撮像装置を提供することを目的とする。
【課題を解決するための手段】
【０００８】
本発明に係る撮像装置は、主ボタンを備えた撮像装置において、当該撮像装置の動作状態及び撮影シーンの内の少なくとも一方に応じて、前記主ボタンの割り当て機能を設定するボタン制御部を備えたことを特徴とする。
【０００９】
主ボタンの割り当て機能を設定するボタン制御部を撮像装置に設けておくことにより、主ボタンに複数の機能を選択的に割り当てることが可能となり、結果、ボタン数の削減が可能となる。この際、撮像装置の動作状態又は撮影シーンを参照することにより、使用可能性の高い機能（ユーザの所望機能）を推定することでき、使用可能性が高いと思われる機能を優先的に主ボタンに割り当てることが可能となる。このため、ボタン数を削減したとしても、ユーザは容易に所望機能を実現させることが可能となり、操作性が向上する。
【００１０】
また例えば、当該撮像装置に、前記主ボタンの割り当て機能を変更するための副ボタンを更に設けておくとよい。
【００１１】
これにより、撮像装置の動作状態又は撮影シーンに基づく主ボタンの割り当て機能がユーザの所望機能と異なっていた場合においても、ユーザは主ボタンの機能を所望機能に変更させることができる。
【００１２】
具体的には例えば、前記動作状態は、当該撮像装置への電源の投入状態、及び、当該撮像装置の録画状態の内、少なくとも一方を含む。
【００１３】
また具体的には例えば、前記撮影シーンは、撮影領域内における人物の有無、当該撮影装置による撮影画像上の顔領域の大きさ、前記撮影画像上の動きの大きさの内、少なくとも１つに依存する。
【００１４】
また例えば、前記主ボタンの割り当て機能を表示する表示画面を、当該撮像装置に更に設けておくとよい。
【００１５】
また例えば、前記ボタン制御部は、前記主ボタンが操作されたときに設定していた前記割り当て機能を履歴情報として記憶し、過去の履歴情報をも用いて、現在の前記割り当て機能を設定してもよい。
【００１６】
これにより、ユーザの過去の使用状況に応じた適切な機能割り当てが可能となる。
【００１７】
また例えば、前記ボタン制御部は、前記主ボタンの割り当て機能を変更したとき、その変更の発生を報知してもよい。
【発明の効果】
【００１８】
本発明によれば、ボタン数の削減とともに操作性の向上に寄与する撮像装置を提供することが可能である。
【図面の簡単な説明】
【００１９】
【図１】本発明の実施形態に係る撮像装置の概略全体ブロック図である。
【図２】図１の撮像部の内部構成図である。
【図３】本発明の実施形態に係る撮像装置の外観斜視図の一例である。
【図４】表示画面上にボタンが配置される様子を示す図である。
【図５】第１ボタンに割り当てられうる９つの候補機能と９つの評価値との対応関係を示す図である。
【図６】本発明の第１実施例に係り、撮像装置の分類状況及び候補機能との関係における評価値の概要を示す図である。
【図７】本発明の第２実施例に係り、撮像装置の分類状況及び候補機能との関係における評価値の概要を示す図である。
【図８】本発明の第３実施例に係り、撮像装置の分類状況及び候補機能との関係における評価値の概要を示す図である。
【図９】本発明の第４実施例に係り、撮像装置の分類状況及び候補機能との関係における評価値の概要を示す図である。
【図１０】本発明の第５実施例に係り、表示されるアイコンの例を示す図である。
【図１１】本発明の第５実施例に係り、表示されるアイコンの例を示す図である。
【図１２】本発明の第６実施例にて導入された想定を説明するための図である。
【図１３】本発明の第７実施例に係る表示方法を説明するための図である。
【図１４】本発明の第７実施例に係る表示方法を説明するための図である。
【発明を実施するための形態】
【００２０】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、物理量、状態量又は部材等を参照する記号又は符号を記すことによって該記号又は符号に対応する情報、物理量、状態量又は部材等の名称を省略又は略記することがある。
【００２１】
図１は、本発明の実施形態に係る撮像装置１の概略全体ブロック図である。撮像装置１は、静止画像及び動画像を撮影及び記録可能なデジタルビデオカメラである。但し、撮像装置１は、静止画像のみを撮影及び記録可能なデジタルスチルカメラであっても良い。撮像装置１は、携帯電話機などの携帯端末に搭載されるものであっても良い。
【００２２】
撮像装置１は、撮像部１１と、ＡＦＥ（Analog Front End）１２と、主制御部１３と、内部メモリ１４と、表示画面（表示部）１５と、記録媒体１６と、操作部１７と、を備えている。本明細書において、表示とは表示画面１５における表示を指す。
【００２３】
図２は、撮像部１１の内部構成図である。撮像部１１は、ズームレンズ３０及びフォーカスレンズ３１を含む複数枚のレンズから成る光学系３５と、絞り３２と、ＣＣＤ（Charge Coupled Device）又はＣＭＯＳ（Complementary Metal Oxide Semiconductor）イメージセンサなどから成る撮像素子（固体撮像素子）３３と、光学系３５や絞り３２を駆動制御するためのドライバ３４と、を有している。撮像素子３３は、光学系３５及び絞り３２を介して入射した撮影領域内の被写体の光学像を光電変換し、該光電変換により得られた電気信号を出力する。撮影領域とは、撮像装置１の撮影領域（視野）を指す。ＡＦＥ１２は、撮像部１１の出力信号である撮像素子３３の出力信号のデジタル化及び増幅を行ってデジタル化及び増幅後の撮像素子３３の出力信号を出力する。レンズ３０及び３１の位置、絞り３２の開度並びにＡＦＥ１２における信号増幅の増幅度は、主制御部１３によって制御される。
【００２４】
主制御部１３は、ＡＦＥ１２の出力信号に対して必要な信号処理を施す。また、主制御部１３は、撮像装置１内の各部位の動作を統括的に制御する。内部メモリ１４は、ＳＤＲＡＭ（Synchronous Dynamic Random Access Memory）等にて形成され、撮像装置１内で生成された各種信号（データ）を一時的に記憶する。表示画面１５は、液晶ディスプレイパネル等から成り、主制御部１３による制御の下、撮影画像や記録媒体１６に記録されている画像などを表示する。記録媒体１６は、カード状半導体メモリや磁気ディスク等の不揮発性メモリであり、主制御部１３による制御の下、撮影画像等を記録する。撮影画像とは、撮像素子３３の出力信号に基づく画像である。本明細書では、或る画像の画像データ（画像信号）のことを、単に画像とも言う。
【００２５】
操作部１７は、ユーザからの各種操作を受け付ける。操作部１７に対するユーザの操作内容は、主制御部１３に伝達され、主制御部１３の制御の下、撮像装置１内の各部位は操作内容に応じた動作を行う。操作部１７には、第１ボタンＢＴ１（以下、ボタンＢＴ１という）及び第２ボタンＢＴ２（以下、ボタンＢＴ２という）を含む複数のボタンが設けられている。ここでは、２つのボタンＢＴ１及びＢＴ２に注目するが、操作部１７に設けられたボタンの個数は３以上でも良い。
【００２６】
ボタンＢＴ１及びＢＴ２は、図３のボタン３１１及び３１２の如く、撮像装置１の筐体上に配置された機械式のボタンであっても良いし、図４のボタン３２１及び３２２の如く、表示画面１５上のボタンであっても良い。図４において、斜線部分は表示画面１５の筐体部分を表している（後述の図１３及び図１４においても同様）。ボタンＢＴ１及びＢＴ２が表示画面１５上のボタンである場合、表示画面１５はタッチパネルとして機能する。表示画面１５としてのタッチパネルは、操作体（ユーザの指やタッチペン）と表示画面１５との接触位置を検出し、検出位置を表すタッチ位置情報を主制御部１３に送る。主制御部１３（ボタン制御部２０）は、タッチ位置情報に基づき、ボタンＢＴ１又はＢＴ２がユーザにより押されたか否か及び上記接触位置を認識することができる。
【００２７】
主制御部１３には、ボタン制御部２０が設けられている（図１参照）。ボタン制御部２０は、様々な要素に応じて、ボタンＢＴ１に割り当てられた機能（以下、ボタンＢＴ１の割り当て機能とも言う）を設定及び変更する。以下、ボタンＢＴ１の割り当て機能に関し、第１〜第７実施例を説明する。矛盾なき限り、第１〜第７実施例の内の、複数の実施例を組み合わせることも可能である。
【００２８】
＜＜第１実施例＞＞
第１実施例を説明する。まず、ボタンＢＴ１の割り当て機能の候補である、第１〜第９の候補機能Ｆ１〜Ｆ９について説明する（図５参照）。ボタン制御部２０は、様々な要素に応じて、候補機能Ｆ１〜Ｆ９の中からボタンＢＴ１の割り当て機能を選択する。ボタンＢＴ１の割り当て機能が候補機能Ｆｉであるときに（即ち、ボタンＢＴ１の割り当て機能として候補機能Ｆｉが選択されたときに）、ユーザがボタンＢＴ１を押すと、主制御部１３は、撮像装置１内の各部位の動作を制御して候補機能Ｆｉを実現させる（ｉは整数）。
【００２９】
候補機能Ｆ１は、撮像装置１の電源をオフからオンへ切り換えることを指示する電源オン指示機能である。ボタンＢＴ１の割り当て機能が候補機能Ｆ１であるときに、ユーザがボタンＢＴ１を押すと、撮像装置１の電源がオフからオンへと切り換えられる。撮像装置１の電源がオンであるときにのみ、撮像部１１による静止画像又は動画像の撮影が可能である。
候補機能Ｆ２は、撮像装置１の電源をオンからオフへ切り換えることを指示する電源オフ指示機能である。ボタンＢＴ１の割り当て機能が候補機能Ｆ２であるときに、ユーザがボタンＢＴ１を押すと、撮像装置１の電源がオンからオフへと切り換えられる。
候補機能Ｆ３は、録画の開始を指示する録画開始指示機能である。ボタンＢＴ１の割り当て機能が候補機能Ｆ３であるときに、ユーザがボタンＢＴ１を押すと、録画が開始される。録画とは、撮像部１１にて動画像の撮影を行い、得られた動画像を記録媒体１６に記録する処理を指す。
候補機能Ｆ４は、録画の停止を指示する録画停止指示機能である。ボタンＢＴ１の割り当て機能が候補機能Ｆ４であるときに、ユーザがボタンＢＴ１を押すと、録画が停止される。
候補機能Ｆ５は、ズームインを指示するズームイン指示機能である。ボタンＢＴ１の割り当て機能が候補機能Ｆ５であるときに、ユーザがボタンＢＴ１を押すと、撮像部１１の撮影画角（撮像部１１による撮影の画角）が減少する。
候補機能Ｆ６は、ズームアウトを指示するズームアウト指示機能である。ボタンＢＴ１の割り当て機能が候補機能Ｆ６であるときに、ユーザがボタンＢＴ１を押すと、撮像部１１の撮影画角が増大する。
候補機能Ｆ７は、メニューを表示させることを指示するメニュー表示指示機能である。ボタンＢＴ１の割り当て機能が候補機能Ｆ７であるときに、ユーザがボタンＢＴ１を押すと、撮像装置１に様々な指示等を与えるためのメニューが表示画面１５上に表示される。
候補機能Ｆ８は、記録媒体１６に記録された静止画像又は動画像の再生を指示する再生指示機能である。本実施形態では、特に、動画像の再生に注目する。故に、ボタンＢＴ１の割り当て機能が候補機能Ｆ８であるときに、ユーザがボタンＢＴ１を押すと、記録媒体１６に記録された動画像（例えば、直前に記録された動画像）が表示画面１５上で再生される。
候補機能Ｆ９は、静止画像の撮影及び記録を指示する静止画像撮影指示機能である。ボタンＢＴ１の割り当て機能が候補機能Ｆ９であるときに、ユーザがボタンＢＴ１を押すと、撮像部１１により１又は複数枚の静止画像が撮影されて記録媒体１６に記録される。
【００３０】
ボタン制御部２０は、候補機能Ｆ１〜Ｆ９の夫々に対して評価値を設定する。候補機能Ｆｉに対して設定された評価値をＥＶｉにて表す（図５参照）。一方、撮像装置１についての状況を様々な状況に分類することができ、分類された各々の状況を分類状況と呼ぶ。
【００３１】
第１実施例では、４つの分類状況ＳＡ１〜ＳＡ４を想定する（図６参照）。
分類状況ＳＡ１は、撮像装置１の電源がオフになっている状況である。
分類状況ＳＡ１以外の全ての分類状況では、撮像装置１の電源がオンになっている（後述の他の実施例における各分類状況についても同様）。
分類状況ＳＡ２は、撮像装置１の電源がオフからオンに切り替わった後であって、且つ、録画の開始が成される前の状況を指す。
分類状況ＳＡ３は、録画の最中の状況を指す。
分類状況ＳＡ４は、撮像装置１の電源がオフからオンに切り替わった後、録画が開始され、その後、録画が停止した後の状況を指す。録画の停止後の一定期間中における状況が分類状況ＳＡ４であっても良い。
【００３２】
ボタン制御部２０は、評価値を、候補機能ごとに且つ分類状況ごとに設定する。従って、分類状況ＳＡ１〜ＳＡ４に対しては、計３６（＝９×４）個の評価値が設定される。候補機能ごと且つ分類状況ごとの評価値を記憶する評価値記憶部（不図示）をボタン制御部２０に設けておくと良い。候補機能ごと且つ分類状況ごとの評価値を、予め定めておくことができる。
【００３３】
図６は、分類状況ごとに且つ分類状況ごとに設定された評価値の概要を示している。図６において、二重丸に対応する評価値は一重丸に対応する評価値よりも大きい。ボタン制御部２０は、現在の撮像装置１の状況が、分類状況ＳＡ１〜ＳＡ４を含む複数の分類状況の何れに属するのかを特定し、更に、特定した分類状況における９つの評価値ＥＶ１〜ＥＶ９の中から最大の評価値を特定して、最大の評価値に対応する候補機能をボタンＢＴ１の割り当て機能として選択及び設定する。但し、詳細は後述されるが、ユーザはボタンＢＴ２を用いてボタンＢＴ１の割り当て機能を変更することができる。
【００３４】
或る１つの分類状況において、９つの評価値ＥＶ１〜ＥＶ９の内、最大の評価値を以下単に最大評価値と呼び、ｉ番目に大きい評価値をｉ番目評価値と呼ぶ。
【００３５】
分類状況ＳＡ１において、最大評価値は評価値ＥＶ１（＞０）であり、評価値ＥＶ２〜ＥＶ９は全てゼロである。故に、分類状況ＳＡ１において、ボタンＢＴ１には候補機能Ｆ１が割り当てられ（即ち、ボタンＢＴ１の割り当て機能は候補機能Ｆ１であり）、ユーザがボタンＢＴ１を押すと候補機能Ｆ１が実現される（即ち、撮像装置１の電源がオフからオンに切り替わる）。尚、任意の分類状況において、ゼロの評価値に対応する候補機能がボタンＢＴ１に割り当てられることはない。
【００３６】
分類状況ＳＡ２において、最大評価値は評価値ＥＶ３（＞０）であり、２番目〜７番目評価値は正の評価値ＥＶ２、ＥＶ５〜ＥＶ９から形成され、他の評価値はゼロである。故に、分類状況ＳＡ２において、まず候補機能Ｆ３がボタンＢＴ１に割り当てられ、結果、ユーザがボタンＢＴ１を押すと録画が開始される。
分類状況ＳＡ３において、最大評価値は評価値ＥＶ４（＞０）であり、２番目〜４番目評価値は正の評価値ＥＶ５、ＥＶ６及びＥＶ９から形成され、他の評価値はゼロである。故に、分類状況ＳＡ３において、まず候補機能Ｆ４がボタンＢＴ１に割り当てられ、結果、ユーザがボタンＢＴ１を押すと録画が停止する。
分類状況ＳＡ４において、最大評価値は評価値ＥＶ８（＞０）であり、２番目〜７番目評価値は正の評価値ＥＶ２、ＥＶ３、ＥＶ５、ＥＶ６、ＥＶ７及びＥＶ９から形成され、他の評価値はゼロである。故に、分類状況ＳＡ４において、まず候補機能Ｆ８がボタンＢＴ１に割り当てられ、結果、ユーザがボタンＢＴ１を押すと直前に録画された動画像が再生される。
【００３７】
ユーザは、ボタンＢＴ２を押すことでボタンＢＴ１の割り当て機能を変更することができる。ボタンＢＴ１に最大評価値が対応する候補機能が割り当てられている状況を起点として、ボタンＢＴ２を押すたびに、ボタンＢＴ１の割り当て機能は、順次、２番目、３番目、４番目・・・評価値に対応する候補機能へと変化してゆく。
【００３８】
例えば、分類状況ＳＡ２において、ＥＶ３＞ＥＶ２＞ＥＶ５＞ＥＶ６＞ＥＶ７＞ＥＶ８＞ＥＶ９である場合を考える。この場合、分類状況ＳＡ２において、まず候補機能Ｆ３がボタンＢＴ１に割り当てられるが、ボタンＢＴ２を押すたびに、ボタンＢＴ１の割り当て機能は、候補機能Ｆ２、Ｆ５、Ｆ６、Ｆ７、Ｆ８、Ｆ９へと順次変更されてゆき、ボタンＢＴ１の割り当て機能が候補機能Ｆ９であるときに更にボタンＢＴ２を押すと、ボタンＢＴ１の割り当て機能は候補機能Ｆ３に戻される。分類状況ＳＡ２以外の分類状況についても同様である。
【００３９】
或る分類状況において、使用される可能性がより高そうな候補機能に対して、より大きな評価値を与えると良い（後述の他の実施例においても同様）。例えば、分類状況ＳＡ２においては録画の開始指示が成される可能性が高いことに鑑み、評価値ＥＶ３に対して比較的大きな値を与える。
【００４０】
＜＜第２実施例＞＞
第２実施例を説明する。録画中の状況である分類状況ＳＡ３を、録画時間の長さに応じて更に複数の分類状況に細分化しても良く、例えば図７に示すように、分類状況ＳＡ３を分類状況ＳＢ１及びＳＢ２に細分化しても良い。尚、別個のタイミングにおける複数の録画及び別個のタイミングで撮影された複数の動画像の存在を考慮すると、説明が煩雑になるため、以下の説明における録画及び動画像とは、特定の１つの録画及び特定の１つの動画像を指すものとする。
【００４１】
分類状況ＳＢ１は、録画の最中の状況であって且つ録画時間が所定の基準時間よりも短い状況を指し、分類状況ＳＢ２は、録画の最中の状況であって且つ録画時間が所定の基準時間以上である状況を指す。ボタン制御部２０は、録画の開始時刻からの経過時間に基づき、撮像装置１の状況が分類状況ＳＢ１及びＳＢ２のどちらに属するのかを判断する。そして例えば、分類状況ＳＢ１において“ＥＶ９＞ＥＶ４＞ＥＶ５＞ＥＶ６＞０”が成立するように各評価値を定めると共に、録画時間が比較的長い状況下においては録画停止指示が成される可能性が高まることに鑑み、分類状況ＳＢ２においては、例えば“ＥＶ４＞ＥＶ９＞ＥＶ５＞ＥＶ６＞０”が成立するように各評価値を定める。分類状況ＳＢ１及びＳＢ２の夫々において、評価値ＥＶ１〜ＥＶ３、ＥＶ７及びＥＶ８はゼロとされる。
【００４２】
＜＜第３実施例＞＞
第３実施例を説明する。撮影領域内における人物有無、顔領域の大きさに応じて撮像装置１の状況の分類が成されても良く、例えば、図８に示す如く、撮像装置１の状況が分類状況ＳＣ１、ＳＣ２又はＳＣ３に分類されても良い。
【００４３】
分類状況ＳＣ１は、録画の最中の状況であって且つ撮影領域内に人物が存在していない状況を指す。分類状況ＳＣ２は、録画の最中の状況であって、且つ、撮影領域内に人物が存在しており、且つ、当該人物の撮影画像上の顔領域の大きさが所定の基準大きさよりも小さい状況を指す。分類状況ＳＣ３は、録画の最中の状況であって、且つ、撮影領域内に人物が存在しており、且つ、当該人物の撮影画像上の顔領域の大きさが所定の基準大きさ以上である状況を指す。
【００４４】
主制御部１３に設けられた顔領域検出部（不図示）は、撮像部１１の出力信号に基づいて撮影画像上の顔領域（顔の画像データが存在している画像領域）を検出すると共に撮影画像上における顔領域の大きさを検出する。顔領域検出部の検出結果はボタン制御部２０に伝達される。ボタン制御部２０は、撮影画像から顔領域が検出されたとき、撮影領域内に人物が存在していると判断することができ、撮影画像から顔領域が検出されなかったとき、撮影領域内に人物が存在していないと判断することができる。この判断と、顔領域検出部にて検出された顔領域の大きさとに基づき、ボタン制御部２０は、録画の最中における撮像装置１の状況が分類状況ＳＣ１〜ＳＣ３の何れに属するのかを特定することができる。
【００４５】
図８に示す如く、例えば、分類状況ＳＣ１、ＳＣ２、ＳＣ３における最大評価値は、夫々、評価値ＥＶ４、ＥＶ５、ＥＶ６であり、分類状況ＳＣ１、ＳＣ２及びＳＣ３の夫々において、評価値ＥＶ１〜ＥＶ３、ＥＶ７及びＥＶ８はゼロとされる。より詳細には例えば、分類状況ＳＣ１において“ＥＶ４＞ＥＶ９＞ＥＶ５＞ＥＶ６＞０”が成立するように各評価値を定める。一方、顔領域が小さいときにはズームイン指示が成される可能性が高いと考えられるため、分類状況ＳＣ２においては、例えば“ＥＶ５＞ＥＶ４＞ＥＶ９＞ＥＶ６＞０”が成立するように各評価値を定めるとよい。逆に顔領域が大きいときにはズームアウト指示が成される可能性が高いと考えられるため、分類状況ＳＣ３においては、例えば“ＥＶ６＞ＥＶ４＞ＥＶ９＞ＥＶ５＞０”が成立するように各評価値を定めるとよい。
【００４６】
＜＜第４実施例＞＞
第４実施例を説明する。画像の動きの大きさに応じて撮像装置１の状況の分類が成されても良く、例えば、図９に示す如く、撮像装置１の状況が分類状況ＳＤ１に分類されても良い。
【００４７】
分類状況ＳＤ１は、録画の最中の状況であって且つ撮影画像上の動きの大きさが所定の基準動き量よりも大きい状況を指す。主制御部１３に設けられた動き検出部（不図示）は、撮像部１１の出力信号に基づき録画中の動画像（時系列に並ぶ撮影画像の集まり）におけるオプティカルフローを算出する。ボタン制御部２０は、オプティカルフローに基づき撮影画像上の動きの大きさが所定の基準動き量よりも大きいか否かを判断する。そして、ボタン制御部２０は、撮影画像上の動きの大きさが所定の基準動き量よりも大きい場合には、撮像装置１の状況が分類状況ＳＤ１に属すると判断し、撮影画像上の動きの大きさが所定の基準動き量以下である場合には、第２又は第３実施例で述べた方法に従い、撮像装置１の状況が分類状況ＳＢ１、ＳＢ２、ＳＣ１、ＳＣ２及びＳＣ３の何れかに属するのかを判断する。
【００４８】
図９に示す如く、例えば、分類状況ＳＤ１における最大評価値は評価値ＥＶ６である。動きが大きい場合には、注目被写体を撮影領域内に収め続けるべく、ユーザがズームアウト指示を成す可能性が高いと考えられるからである。より詳細には例えば、分類状況ＳＤ１において“ＥＶ６＞ＥＶ４＞ＥＶ９＞ＥＶ５＞０”が成立するように各評価値を定める。分類状況ＳＤ１において、評価値ＥＶ１〜ＥＶ３、ＥＶ７及びＥＶ８はゼロとされる。
【００４９】
＜＜第５実施例＞＞
第５実施例を説明する。上述の第１〜第４実施例において又は後述の他の実施例において、主制御部１３（主制御部１３に設けられた表示制御部）は、ボタンＢＴ１の割り当て機能を表示画面１５に表示させる。割り当て機能の表示は、文字、記号等の表示で実現されても良いし、アイコンの表示で実現されても良い。ここでは、割り当て機能の表示を、アイコンの表示で実現する方法を説明する。
【００５０】
例えば、主制御部１３は、ボタンＢＴ１の割り当て機能が候補機能Ｆ５、Ｆ６、Ｆ９であるとき、それぞれ図１０（ａ）〜（ｃ）のアイコン３４１、３４２、３４３を表示画面１５に表示させ、ボタンＢＴ１の割り当て機能が候補機能Ｆ３又はＦ４であるとき、図１０（ｄ）のアイコン３４４を表示画面１５に表示させる（図６も参照）。アイコン３４１〜３４４は互いに異なるアイコンである。ボタンＢＴ１が表示画面１５上のボタンである場合、アイコン３４１〜３４４の夫々がボタンＢＴ１であっても良い。即ち、ボタンＢＴ１の割り当て機能が候補機能Ｆ５であるとき、アイコン３４１が表示画面１５に表示され、ユーザがボタンＢＴ１としてのアイコン３４１を押すことにより、候補機能Ｆ５が実現されてもよい。
【００５１】
また、以下のような表示を行ってもよい。今、或る特定の分類状況下において、最大評価値がＥＶ５であって、且つ、２番目、３番目、４番目評価値が夫々正の評価値ＥＶ３、ＥＶ６、ＥＶ９であり、且つ、他の評価値はゼロであるとする。この場合、特定の分類状況下において、まず、主制御部１３は、最大評価値ＥＶ５に対応するアイコン３４１を表示画面１５に表示し（図１１参照）、ボタンＢＴ２が１回押されたらアイコン３４１の代わりに合成アイコン３６１を表示画面１５に表示し、ボタンＢＴ２が更にもう１回押されたら合成アイコン３６１の代わりに合成アイコン３６２を表示画面１５に表示する。
【００５２】
合成アイコン３６１及び３６２に代表される合成アイコンは、アイコン３４１〜３４４を楕円上に沿って配列して合成したものである。合成アイコン上におけるアイコン３４１〜３４４の位置及び大きさは、ボタンＢＴ２を押した回数に依存して変化する。ボタンＢＴ２を押すたびに、合成アイコン中の最大アイコンはアイコン３４１〜３４４間で循環的に切り替わる。具体的には、合成アイコン３６１を形成するアイコン３４１〜３４４の内、アイコン３４１のサイズが最も大きく且つ合成アイコン３６１においてアイコン３４１が最も下方に表示され、合成アイコン３６２を形成するアイコン３４１〜３４４の内、アイコン３４４のサイズが最も大きく且つ合成アイコン３６２においてアイコン３４４が最も下方に表示される。合成アイコンが表示されているとき、合成アイコン中の最大アイコン（合成アイコン３６１においてはアイコン３４１、合成アイコン３６２においてはアイコン３４４）に対応する候補機能がボタンＢＴ１に割り当てられる。即ち、合成アイコン３６１、３６２が表示されている場合におけるボタンＢＴ１の割り当て機能は、夫々、アイコン３４１に対応する候補機能Ｆ５、アイコン３４４に対応する候補機能Ｆ３（又はＦ４）である。ボタンＢＴ１が表示画面１５上のボタンである場合、ユーザは、合成アイコン３６１の表示時にアイコン３４１を押すことで候補機能Ｆ５を実現させることができる（他の合成アイコンの表示時においても同様）。
【００５３】
＜＜第６実施例＞＞
第６実施例を説明する。分類状況ごとに且つ候補機能ごとに設定された評価値は固定値であっても良いが、可変値であっても良く、例えば、ユーザによる過去の操作内容に応じて評価値を変更しても良い。
【００５４】
説明の具体化のため、図１２に示す如く、時刻ｔＡ及びｔＣ間における撮像装置１の状況が分類状況ＳＣ２に分類されており、時刻ｔＡと時刻ｔＣよりも前の時刻ｔＢとの間において、ボタンＢＴ１が５回以上押されたことを想定する。ボタン制御部２０は、分類状況ＳＣ２の評価値ＥＶ４、ＥＶ５、ＥＶ６及びＥＶ９に対して、夫々、基準値ＲＥＦＢ、ＲＥＦＡ、ＲＥＦＣ及びＲＥＦＢを予め対応させておく（即ち、図８の二重丸、一重丸及び三角に、夫々、予め基準値ＲＥＦＡ、ＲＥＦＢ及びＲＥＦＣを対応させる）。“ＲＥＦＡ＞ＲＥＦＢ＞ＲＥＦＣ＞０”が成立し、ここでは、ＲＥＦＡ＝５、ＲＥＦＢ＝２、ＲＥＦＣ＝１であるとする。
【００５５】
分類状況ＳＣ２の下で、ある注目時刻にボタンＢＴ１が押されたとき（即ち、ボタンＢＴ１が操作されたとき）、ボタン制御部２０は、その注目時刻にボタンＢＴ１に割り当てられていた候補機能が何れの候補機能であるのかを履歴情報として記憶する（換言すれば、注目時刻において実現された候補機能を履歴情報として記憶する）。履歴情報を記憶する履歴情報記憶部（不図示）をボタン制御部２０に設けておくと良い。履歴情報は、ボタンＢＴ１が押される度に生成され記憶される。
【００５６】
時刻ｔＢにおいて、ボタン制御部２０は、分類状況ＳＣ２についての直近過去５回分の履歴情報に基づき、時刻ｔＢにおける、分類状況ＳＣ２についての各評価値を設定する。例えば、時刻ｔＡ以後、時刻ｔＢに至るまで、ボタンＢＴ１に候補機能Ｆ５が割り当てられている状態でボタンＢＴ１がＱＡ回押され、且つ、ボタンＢＴ１に候補機能Ｆ４が割り当てられている状態でボタンＢＴ１がＱＢ回押され、且つ、ボタンＢＴ１に候補機能Ｆ６又はＦ９が割り当てられている状態ではボタンＢＴ１が１回も押されなかったケースを考える（ここでは、ＱＡ＝３且つＱＢ＝２であるとする）。分類状況ＳＣ２についての直近過去５回分の履歴情報は、このケースの内容を指し示し、それらの履歴情報に基づき、ボタン制御部２０は、時刻ｔＢにおいて、分類状況ＳＣ２についての評価値ＥＶ４、ＥＶ５、ＥＶ６及びＥＶ９を、
ＥＶ４＝ＲＥＦＢ×（ＱＢ＋１）＝２×（２＋１）＝６、
ＥＶ５＝ＲＥＦＡ×（ＱＡ＋１）＝５×（３＋１）＝２０、
ＥＶ６＝ＲＥＦＣ×（０＋１）＝１×（０＋１）＝１、
ＥＶ９＝ＲＥＦＢ×（０＋１）＝２×（０＋１）＝２、
に従って求める。結果、時刻ｔＢにおいては、“ＥＶ５＞ＥＶ４＞ＥＶ９＞ＥＶ６”に従ってボタンＢＴ１の割り当て機能の設定及び変更が成される。
【００５７】
上述の演算式は例示に過ぎない。いずれにせよ、過去において使用頻度の高かった候補機能に対応する評価値が大きくなるように、履歴情報に応じて各評価値を修正すればよい。分類状況ＳＣ２のみに注目して、過去の履歴情報（時刻ｔＢまでに得られた履歴情報）に応じた現在の割り当て機能（時刻ｔＢにおけるボタンＢＴ１の割り当て機能）の設定方法を説明したが、履歴情報の記憶及び履歴情報に応じた割り当て機能の設定を、分類状況ごとに行うことができる。
【００５８】
＜＜第７実施例＞＞
第７実施例を説明する。ボタン制御部２０は、ボタンＢＴ１の割り当て機能を変更したとき、その変更の発生をユーザに知らしめる報知を成すと良い。報知は、人間の感覚（視覚、聴覚、触覚等）に訴えるものであるならば何でもよい。典型的には、表示画面１５における表示を用いて上記報知を実現すると良い。
【００５９】
例えば、ボタンＢＴ１の割り当て機能が変更された際、一定時間、その変更の発生を指し示す表示を行う。例えば、変更の発生を指し示す表示は、図１３に示す如く、表示画面１５の外枠部分の点滅表示であっても良いし、図１４に示す如く、ボタンＢＴ１としてのアイコンの点滅表示でも良い。
【００６０】
本実施形態に係る撮像装置１によれば、従来は複数のボタンで実現されていた複数の機能を１つのボタンＢＴ１にて選択的に実現することが可能となる。従って、従来の撮像装置と比べてボタンの個数を削減することが可能となり、結果、ユーザが必要とする操作を行ないやすくなる（ボタンの個数が多いことによる操作の煩雑性が軽減される）と共に撮像装置１の小型化及び低コスト化にも寄与する。
【００６１】
この際、ボタン制御部２０は、撮像装置１の動作状態（図６及び図７参照）及び撮影シーン（図８及び図９参照）の少なくとも一方に応じて、ボタンＢＴ１の割り当て機能を設定する（撮像装置１の動作状態及び撮影シーンの意義の詳細については後述）。撮像装置１の動作状態又は撮影シーンに基づけば、使用可能性の高い機能（ユーザの所望機能）を推定することができ、使用可能性が高いと思われる機能を優先的にボタンＢＴ１に割り当てることが可能となる。このため、ボタン個数を削減したにも関わらず、ユーザは容易に所望機能を実現させることが可能となり、操作性が向上する。加えて、ボタンＢＴ１の割り当て機能を変更させるためのボタンＢＴ２が別途設けられているため、ボタンＢＴ１の割り当て機能がユーザの所望機能と異なる場合、ユーザはボタンＢＴ１の機能を所望機能に変更させることができる。ボタン制御部２０は、分類状況ごと且つ候補機能ごとの評価値を用いてボタンＢＴ１の割り当て機能の設定及び変更を行うため、評価値の適切なる設定を介して、分類状況ごとに使用可能性が高いと推測される機能を優先的にボタンＢＴ１に割り当てることが可能となる。
【００６２】
また、ボタンＢＴ１の割り当て機能が変化することで発生が懸念されるユーザの混乱は、ボタンＢＴ１の割り当て機能の表示（第５実施例参照）及び／又は割り当て機能の変更報知（第７実施例参照）にて解消可能である。また、過去の履歴情報をも参照して現在の割り当て機能を設定可能にしておくことで、ユーザの過去の使用状況に応じた適切な機能割り当てが可能となる（第６実施例参照）。
【００６３】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１〜注釈３を記す。各注釈に記載した内容は、矛盾なき限り、任意に組み合わせることが可能である。
【００６４】
［注釈１］
上述したように、撮像装置１に設けられるボタンの個数は３以上でも良く、使用頻度の高い機能など、幾つかの機能に対しては専用ボタンを割り当てるようにしても良い。例えば、ボタンＢＴ１及びＢＴ２に加えて、静止画像撮影指示機能が固定的に割り当てられたシャッタボタン（不図示）を操作部１７に設けておくことができ、この場合、ボタンＢＴ１に割り当てられうる機能から候補機能Ｆ９が削除される。また例えば、ボタンＢＴ１及びＢＴ２に加えて、電源オン指示機能及び電源オフ指示機能が固定的に割り当てられた電源ボタン（不図示）を操作部１７に設けておくことができ、この場合、ボタンＢＴ１に割り当てられうる機能から候補機能Ｆ１及びＦ２が削除される。
【００６５】
［注釈２］
図１の撮像装置１を、ハードウェア、或いは、ハードウェアとソフトウェアの組み合わせによって構成することができる。ソフトウェアを用いて撮像装置１を構成する場合、ソフトウェアにて実現される部位についてのブロック図は、その部位の機能ブロック図を表すことになる。ソフトウェアを用いて実現される機能をプログラムとして記述し、該プログラムをプログラム実行装置（例えばコンピュータ）上で実行することによって、その機能を実現するようにしてもよい。
【００６６】
［注釈３］
例えば、以下のように考えることができる。
ボタンＢＴ１及びＢＴ２を、夫々、主ボタン及び副ボタンと呼ぶことができる。
撮像装置１の動作状態は、撮像装置１への電源の投入状態（撮像装置１の電源のオン又はオフ状態）、及び、撮像装置１の録画状態の内、少なくとも一方を含み、撮像装置１への電源の投入状態及び撮像装置１の録画状態に依存して、撮像装置１の状況が分類状況ＳＡ１〜ＳＡ４、ＳＢ１及びＳＢ２の何れかに分類される（図６及び図７参照）。撮像装置１の録画状態は、現在が録画前であるか、録画中であるか、録画後であるかを表すと共に、現在が録画中であるならば録画時間の長さをも表す。
撮像装置１の撮影シーンは、撮影領域内における人物の有無、撮影画像上の顔領域の大きさ、撮影画像上の動きの大きさの内、少なくとも１つに依存する情報である。撮影領域内における人物の有無、撮影画像上の顔領域の大きさ及び撮影画像上の動きの大きさに依存して、撮像装置１の状況が分類状況ＳＣ１〜ＳＣ３及びＳＤ１の何れかに分類される（図８及び図９参照）。
【符号の説明】
【００６７】
１  撮像装置
１１  撮像部
１５  表示画面
２０  ボタン制御部
ＢＴ１  第１ボタン
ＢＴ２  第２ボタン
【図１】
2012235196.tif 000003
【図２】
2012235196.tif 000004
【図５】
2012235196.tif 000005
【図６】
2012235196.tif 000006
【図７】
2012235196.tif 000007
【図８】
2012235196.tif 000008
【図９】
2012235196.tif 000009
【図１０】
2012235196.tif 000010
【図１１】
2012235196.tif 000011
【図１２】
2012235196.tif 000012
【図１３】
2012235196.tif 000013
【図１４】
2012235196.tif 000014
【図３】
2012235196.tif 000015
【図４】
2012235196.tif 000016